(57)【要約】【課題】両開き窓において、１回の操作により左右それぞれの開き障子に対してサブロックによる施錠を図るようにする。【解決手段】補助錠装置１は、一方側開き障子ＤＬの戸先側縦框に取り付けられる補助錠本体２と、他方側開き障子ＤＲの戸先側縦框に固定される第１施錠用係合具３と、窓枠に固定される第２施錠用係合具４とからなり、前記補助錠本体２は、上下方向にスライド操作される施錠操作部材５と、この施錠操作部材５の操作によって上下方向にスライド動作される作動部材７と、この作動部材７に連結され、施錠時に窓枠に固定された前記第２施錠用係合具４に係合し一方側開き障子を施錠する施錠杆８と、前記作動部材７のスライド動作に伴って揺動動作し、施錠時に他方側開き障子ＤＲに固定された前記第１施錠用係合具３と係合し他方側開き障子ＤＲを施錠する施錠揺動片９とからなる。【選択図】  図５
2004332405.tif 000002
【特許請求の範囲】
【請求項１】
左右に隣接して開き障子を備える両開き窓の補助錠であって、
前記補助錠装置は、一方側開き障子の戸先側縦框に取り付けられる補助錠本体と、他方側開き障子の戸先側縦框に固定される第１施錠用係合具と、窓枠に固定される第２施錠用係合具とからなり、
前記補助錠本体は、上下方向にスライド操作される施錠操作部材と、この施錠操作部材の操作によって上下方向にスライド動作される作動部材と、この作動部材に連結され、施錠時に窓枠に固定された前記第２施錠用係合具と係合し一方側開き障子を施錠する施錠杆と、前記作動部材のスライド動作に伴って揺動動作し、施錠時に前記他方側開き障子に固定された前記第１施錠用係合具と係合し他方側開き障子を施錠する施錠揺動片と、からなることを特徴とする両開き窓の補助錠。
【請求項２】
前記作動部材の上下スライドをガイドするとともに、前記施錠杆の上下スライドをガイドするベース部材を備える請求項１記載の両開き窓の補助錠。
【請求項３】
前記施錠揺動片は一部に切欠き部を有し、前記作動部材から施錠揺動片に向けて突出して設けられた揺動作動軸が前記切欠き部に係合し、作動部材の上下動に伴って施錠揺動片を揺動動作させるようにしている請求項１，２いずれかに記載の両開き窓の補助錠。
【発明の詳細な説明】
【０００１】
【発明の属する技術分野】
本発明は、１回のスライド操作によって左右の障子を施錠可能とした両開き窓の補助錠に関する。
【０００２】
【従来の技術】
近年、家屋の窓等では防犯性を向上させるため、主ロック装置とは別に補助錠（以下、サブロックともいう。）を付加して２重ロックとしたものが増加する傾向にある。このサブロックとしては、通常縦框または下框にサブロック装置を取り付けるとともに、水平方向に移動自在とされるロック杆を縦框より出没自在とする構造のものが多く用いられている。
【０００３】
例えば、下記特許文献１では、開き障子の縦框又は下框に対して、手動操作により外方に出没自在のロック杆を備えるサブロック装置を設け、窓枠側に前記ロック杆の先端が係合する係止部を設けたサブロック構造が提案されている。
【０００４】
また下記特許文献２には、障子の下框内にサブロック装置を取付け、下框の室内面側に設けられた操作部により前記サブロック装置内に収容された施錠部材を水平方向に沿って移動操作可能とするとともに、前記施錠部材のロック片を下框の下面より外部に突出させ、前記水平方向の移動操作に伴って下枠に取り付けられた施錠用衝合部材に対して係脱自在としたサブロック構造が提案されている。
【０００５】
【特許文献１】
特開平１１−２１０２９７号公報
【特許文献２】
特開２００２−３０３０６９号公報
【０００６】
【発明が解決しようとする課題】
しかしながら、両開き窓に対して前述構造のサブロック装置を設けようとした場合、左右の開き障子に対して別々に設けることになるとともに、施錠操作も左右障子について個別的に必要とするため、コスト的な無駄が生じるとともに、操作に手間が掛かり煩わしいという問題があった。
【０００７】
そこで本発明の主たる課題は、両開き窓において、１回の操作により左右それぞれの開き障子に対してサブロックによる施錠を図るようにした両開き窓の補助錠を提供することにある。
【０００８】
【課題を解決するための手段】
前記課題を解決するために請求項１に係る本発明として、左右に隣接して開き障子を備える両開き窓の補助錠であって、
前記補助錠装置は、一方側開き障子の戸先側縦框に取り付けられる補助錠本体と、他方側開き障子の戸先側縦框に固定される第１施錠用係合具と、窓枠に固定される第２施錠用係合具とからなり、
前記補助錠本体は、上下方向にスライド操作される施錠操作部材と、この施錠操作部材の操作によって上下方向にスライド動作される作動部材と、この作動部材に連結され、施錠時に窓枠に固定された前記第２施錠用係合具と係合し一方側開き障子を施錠する施錠杆と、前記作動部材のスライド動作に伴って揺動動作し、施錠時に前記他方側開き障子に固定された前記第１施錠用係合具と係合し他方側開き障子を施錠する施錠揺動片と、からなることを特徴とする両開き窓の補助錠が提供される。
【０００９】
請求項２に係る本発明として、前記作動部材の上下スライドをガイドするとともに、前記施錠杆の上下スライドをガイドするベース部材を備える請求項１記載の両開き窓の補助錠が提供される。
【００１０】
請求項３に係る本発明として、前記施錠揺動片は一部に切欠き部を有し、前記作動部材から施錠揺動片に向けて突出して設けられた揺動作動軸が前記切欠き部に係合し、作動部材の上下動に伴って施錠揺動片を揺動動作させるようにしている請求項１，２いずれかに記載の両開き窓の補助錠が提供される。
【００１１】
【発明の実施の形態】
以下、本発明の実施の形態について図面を参照しながら詳述する。
図１は本発明に係る両開き窓用補助錠１の正面図、図２は図１のＩＩ−ＩＩ線矢視図、図３は図１のＩＩＩ−ＩＩＩ線矢視図、図４は補助錠１の拡大平面図である。
【００１２】
本発明に係る両開き窓用補助錠１（以下、単に補助錠という。）は、図１に示されるように、一方側開き障子ＤＬの戸先側縦框に取り付けられる補助錠本体２と、他方側開き障子ＤＲの戸先側縦框に固定される第１施錠用係合具３と、窓枠（下枠）に固定される第２施錠用係合具４とから構成されている。なお、本例では開き障子の戸先側縦框の下側に補助錠１を設けたが、縦框の中央位置または上部側位置に設けるようにしてもよい。仮に上部側に設ける場合には、前記第２施錠用係合具４は上枠側に固定されることになる。
【００１３】
前記補助錠本体２は、主に、上下方向にスライド操作される施錠操作部材５と、この施錠操作部材５の操作によって上下方向にスライド動作される作動部材７と、この作動部材７に連結され施錠時に下窓枠に固定された前記第２施錠用係合具４と係合し一方側開き障子ＤＬを施錠する施錠杆８と、前記作動部材７の上下スライドをガイドするとともに、施錠杆８の上下スライドをガイドするベース部材６と、前記作動部材７のスライド動作に伴って揺動動作し、施錠時に他方側開き障子ＤＲに固定された前記第１施錠用係合具３と係合し他方側開き障子ＤＲを施錠する施錠揺動片９と、この施錠揺動片９を揺動自在に支持する揺動片ケース１２とから構成されている。
【００１４】
前記施錠操作部材５は、詳細には図６に示されるように、板状部５Ａの表面側に摘み部５ａを有するとともに、裏面側に前記作動部材７との連結を図るために軸嵌入孔部５ｂが形成された部材であり、一方側開き障子ＤＬへの取付けは、図２及び図５に示されるように、縦框の室内側面に固定されるカバー材１３内に収容され、かつカバー材１３の孔部１３ａより前記摘み部５ａを室内側に突出させた状態で配置される。
【００１５】
前記作動部材７は、詳細には図７に示されるように、立方体形状の部材であり、縦方向に施錠杆８を挿通させる通孔７ａが形成されるとともに、両側面にそれぞれ連結軸材１０，揺動作動軸１１を嵌入させるための軸材嵌入孔７ｂ、７ｃが形成され、かつ背面部に後述のベース部材６の縦方向スリット溝６ｇに嵌合するガイド突起７ｄが形成されている。前記施錠杆８は前記通孔７ａに挿通させた状態で固定ピン１４を側方から挿入し固定される。
【００１６】
前記作動部材７を収容するベース部材６は、詳細には図８に示されるように、上部側に側面側（縦框見込み面側）に向けた雌ネジ孔６ａと、正面側（縦框見付け面側）に向けた貫通孔６ｂとを有するとともに、下部側に同じく側面側（縦框見込み面側）に向けた雌ネジ孔６ｃと、正面側（縦框見付け面側）に向けた貫通孔６ｄとを有し、図１及び図２に示されるように、縦框内に配設され、縦框見付け面側から螺入した固定ビス３１，３３および縦框見込み面側から螺入した固定ビス３０，３２により固定されるようになっている。なお、前記固定ビス３１、３３は前記カバー材１３を縦框の室内面側に固定するためのビスを兼用している。
【００１７】
前記ベース部材６の略中央部には、側面視でコ字状の空間Ｍが形成され、この空間Ｍに前記作動部材７が上下方向にスライド可能に収容されるようになっている。また、前記作動部材７は、空間Ｍ部の背面板に形成された縦方向スリット溝６ｇに対してガイド突起７ｄが嵌合され、上下方向のスライドがガイドされるようになっている。また、前記空間Ｍの上面板及び下面板には施錠杆挿通孔６ｅ、６ｆが形成され、施錠杆８は前記施錠杆挿通孔６ｅ、６ｆに挿通させた状態で作動部材７に対してピン部材１４により固定される。そして、前記作動部材７と施錠操作部材５とは一端を軸材嵌入孔７ｂに嵌入させ、他端を施錠操作部材５の軸嵌入孔部５ｂに嵌入させた連結軸材１０により連結されている。
【００１８】
前記ベース部材６の室外側には、図２に示されるように、施錠揺動片９を揺動自在に支持する揺動片ケース１２が隣接して配設されている。前記揺動片ケース１２は、詳細には図９に示されるように、略中央部に縦方向のスリット状溝部１２ａを有し、このスリット状溝部１２ａに施錠揺動片９を通し、固定軸１５により前記施錠揺動片９を揺動自在に支持するようになっている。また、上部には雌ネジ孔１２ｂを有し、かつ下部に雌ネジ孔１２ｃを有し、前記固定ビス３１，３３により前記ベース部材６の隣接位置に固定されるようになっている。
【００１９】
前記施錠揺動片９はその一部に、具体的には基端側部分に切欠き部９ａを有し、前記作動部材７の軸材嵌入部７ｃに基部が嵌入された揺動作動軸１１の先端部が前記切欠き部９ａに係合し、作動部材７の上下スライドに伴って施錠揺動片９が揺動するようになっている。
【００２０】
一方、他方側開き障子ＤＲの戸先側縦框に固定された第１施錠用係合具３は、図図１、図３に示されるように、外方に突出する衝合壁３Ａを有する部材であり、固定ビス３４，３４により他方側開き障子ＤＲの見込み面に固定される。
【００２１】
また、窓枠に固定された第２施錠用係合具４は、図１に示されるように、前記施錠杆８の先端が嵌入する施錠用孔部４ａを有する部材であり、固定ビス３５、３５により窓枠に固定される。
【００２２】
かかる補助錠１により開き障子ＤＬ、ＤＲの補助施錠を図るには、施錠操作部材５を下方側にスライドさせるようにする。前記施錠操作部材５が下方向に移動されると、連結軸材１０により連結されている作動部材７が同時に下方向に移動し、作動杆８が下降し第２施錠用係合具４の施錠用孔部４ａに先端部が嵌入することにより、一方側開き障子ＤＬが開かれないように施錠を図るとともに、前記作動部材７の下降に伴って施錠揺動片９が上側方向に揺動し、前記施錠揺動片９が前記第１施錠用係合具３の衝合壁３Ａの室外側に位置することにより、他方側開き障子ＤＲが開かれないように施錠を図る。
【００２３】
（他の形態例）
（１）上記形態例で示された補助錠１は、基本的には両開き窓を対象とするものであるが、片開き窓に対しても適用が可能である。すなわち、上記形態例において、作動部材７は、施錠操作部材面側に前記施錠操作部材５との連結を図る連結軸材１０を備えるとともに、該連結軸部１０の対面側位置であってかつ同心軸上に前記施錠揺動片９の一部に形成された切欠き部９ａに係合する揺動作動軸１１を有する構造となっているため、図１０に示されるように、前記ベース部材６，作動部材７および施錠杆８を省略し、施錠操作部材５の軸嵌入孔部５ｂに前記施錠揺動軸１１を取付け、この施錠揺動軸１１を直接、施錠揺動片９の切欠き部９ａに係合させるようにすることにより、片開き窓に対しても適用が可能となる。
【００２４】
【発明の効果】
以上詳説のとおり本発明によれば、両開き窓において、１回の操作により左右それぞれの開き障子に対してサブロックによる施錠が可能となる。
【図面の簡単な説明】
【図１】本発明に係る両開き窓用補助錠１の正面図である。
【図２】図１のＩＩ−ＩＩ線矢視図である。
【図３】図１のＩＩＩ−ＩＩＩ線矢視図である。
【図４】補助錠１の拡大平面図（図３の要部拡大図）である。
【図５】補助錠１の分解図である。
【図６】施錠操作部材５を示す、（Ａ）は裏面図、（Ｂ）は側面図、（Ｃ）は正面図である。
【図７】作動部材７を示す、（Ａ）は平面図、（Ｂ）は側面図である。
【図８】作動部材７、施錠杆８を組込んだベース部材６を示す、（Ａ）は側面図（図４のＶＩＩＩ−ＶＩＩＩ線矢視図）、（Ｂ）は正面図である。
【図９】施錠変動片９を収容した揺動片ケース１２を示す、（Ａ）は側面図（図４のＩＸ−ＩＸ線矢視図）、（Ｂ）は正面図である。
【図１０】本補助錠１の片開き障子への適用を示す平面図である。
【符号の説明】
１…補助錠、２…補助錠本体、３…第１施錠用係合具、４…第２施錠用係合具、５…施錠操作部材、６…ベース部材、７…作動部材、８…施錠杆、９…施錠揺動片、１０…連結軸部、１１…揺動作動軸、１２…揺動片ケース、１３…カバー材、ＤＬ…一方側開き障子、ＤＲ…他方側開き障子
【図１】
2004332405.tif 000003
【図２】
2004332405.tif 000004
【図３】
2004332405.tif 000005
【図４】
2004332405.tif 000006
【図５】
2004332405.tif 000007
【図６】
2004332405.tif 000008
【図７】
2004332405.tif 000009
【図８】
2004332405.tif 000010
【図９】
2004332405.tif 000011
【図１０】
2004332405.tif 000012